(57)【特許請求の範囲】
【請求項１】
物品を収容する複数の内函と、
前記複数の内函を収納する収納棚と、
前記収納棚に収納された前記複数の内函を選択的に入出庫しうる入出庫装置と、
を備える全自動貸金庫において、
前記入出庫装置における、前記内函を載置する荷台に、前記内函の各々のデータを認識する認識装置をも載置可能であって、前記荷台に給電装置を設け、当該給電装置から前記認識装置に設けた受電装置を介して前記認識装置に給電可能とし、
前記認識装置が読み取った内函のデータと、あらかじめ記憶されたデータとが一致するか否かを判別し、前記内函が適正な位置に収納されているか確認できることを特徴とする全自動貸金庫。
【請求項２】
前記収納棚を互いに対向する少なくとも２列備え、両収納棚間に前記入出庫装置を配設したことを特徴とする請求項１記載の全自動貸金庫。
【請求項３】
前記認識装置を、反転させて前記荷台に載置可能としたことを特徴とする請求項２記載の全自動貸金庫。
【請求項４】
前記認識装置を、認識方向を異ならせた複数の認識手段を備えるものとしたことを特徴とする請求項２記載の全自動貸金庫。
【請求項５】
前記認識装置を、前記内函を認識する認識手段と、前記認識手段の向きを変更させる回転手段とを有するものとしたことを特徴とする請求項２記載の全自動貸金庫。
【発明の詳細な説明】
【技術分野】
【０００１】
本発明は、自動倉庫、特に、全自動貸金庫として好適な自動倉庫に関する。
【背景技術】
【０００２】
銀行等の金融機関に設置される全自動貸金庫は、１００函以上の多数の内函を有しており、各内函を収納棚に最初に収納する際には、作業者が目視により確認しながら行っている。
しかし、この収納作業の際に、万が一、内函の収納場所を間違えると、契約した内函と異なる内函が利用者のもとに運ばれてくるおそれがある。
【０００３】
このような内函の収納場所の間違いを防止する手段としては、例えば、自動倉庫において、入出庫用クレーンの昇降キャリッジに、テレビカメラと、このテレビカメラの向きを自在に変更可能な首振り装置を設け、荷受部の荷の状況および昇降キャリッジ上の状況を確認しうるようにしたものがある(例えば特許文献１参照)。
【０００４】
また、内函(保護箱)の側面に設けたバーコードラベルを、入出庫装置であるスタッカクレーンにおけるキャリッジに設けたバーコードリーダにより読み取って、内函を認識しうるようにしたものもある(例えば特許文献２参照)。
【先行技術文献】
【特許文献】
【０００５】
【特許文献１】特開平２−９５６０５号公報
【特許文献２】特許第５２７１０３４号公報
【発明の概要】
【発明が解決しようとする課題】
【０００６】
しかし、上述のような従来の手段によると、テレビカメラ(特許文献１)やバーコードリーダ(特許文献２)を、入出庫装置の荷台(キャリッジ)における、内函の収容部分とは異なる部位に常時取り付けてあるので、荷台の重量が増大し、荷台を移動させる際の必要なエネルギーが大となる。
また、収納棚に収納されている各内函の点検作業は頻繁に行うものではなく、最初の設置作業後や修理作業後等の限られた場合のみであるので、そのために入出庫装置における荷台に、内函の認識装置を常設しておくことは非効率である。
【０００７】
本発明は、従来の技術が有する上記のような問題点に鑑みてなされたもので、内函のデータを認識する認識装置を、認識作業を行うときだけ、入出庫装置における荷台に、内函と同様にして載置して使用しうるようにすることにより、通常の内函の入出庫作業においては、入出庫装置の荷台の軽量化を図ることができ、もって、荷台を移動させる際の必要なエネルギーを低減できるようにした自動倉庫を提供することを目的としている。
【課題を解決するための手段】
【０００８】
本発明によると、上記課題は、次のようにして解決される。
（１）物品を収容する複数の内函と、前記複数の内函を収納する収納棚と、前記収納棚に収納された前記複数の内函を選択的に入出庫しうる入出庫装置とを備える自動倉庫において、前記入出庫装置における、前記内函を載置する荷台に、前記内函の各々のデータを認識する認識装置をも載置可能とする。
【０００９】
このような構成によると、内函のデータを認識する認識装置を、認識作業を行うときだけ、入出庫装置における荷台に、内函と同様にして載置して使用しうるので、通常の内函の入出庫作業においては、入出庫装置の荷台の軽量化を図ることができ、もって、荷台を移動させる際の必要なエネルギーを低減することができる。
【００１０】
（２）上記(１)項において、前記収納棚を互いに対向する少なくとも２列備え、両収納棚間に前記入出庫装置を配設する。
【００１１】
このような構成によると、１個の入出庫装置により、複数の収納棚における内函を入出庫することができ、効率がよい。
【００１２】
（３）上記(２)項において、前記認識装置を、反転させて前記荷台に載置可能とする。
【００１３】
このような構成によると、内函のデータの認識方向を一方向とした１個の認識手段を有する１個の認識装置により、互いに対向する複数の収納棚における各内函のデータを認識させることができる。
【００１４】
（４）上記(２)項において、前記認識装置を、認識方向を異ならせた複数の認識手段を備えるものとする。
【００１５】
このような構成によると、１個の認識装置により、複数の収納棚における各内函のデータを認識させることができる。
【００１６】
（５）上記(２)項において、前記認識装置を、前記内函を認識する認識手段と、前記認識手段の向きを変更させる回転手段とを有するものとする。
【００１７】
このような構成によると、内函のデータの認識方向を一方向とした１個の認識手段を有する１個の認識装置により、複数の収納棚における各内函のデータを認識させることができる。
【００１８】
（６）上記(１)〜(５)項のいずれかにおいて、前記荷台に、前記認識装置に給電しうる給電装置を設ける。
【００１９】
このような構成によると、認識装置を入出庫装置における荷台に載置したとき、給電装置により、認識装置に給電することができ、その電力によって、認識装置を作動させることができる。
【００２０】
（７）上記(１)〜(６)項のいずれかにおいて、前記認識装置を、認識したデータを無線で送信する送信手段を備えるものとする。
【００２１】
このような構成によると、認識装置から送信された無線を、自動倉庫の管理場所で受信して、その無線に化体したデータを読み取り、自動倉庫の管理に役立たせることができる。
また、有線のような配線の必要がない。
【００２２】
（８）上記(１)〜(７)項のいずれかにおいて、全自動貸金庫とする。
【００２３】
このような構成によると、内函のデータを認識する認識装置を、認識作業を行うときだけ、入出庫装置における荷台に、内函と同様にして載置して使用しうるようにすることにより、通常の内函の入出庫作業においては、入出庫装置の荷台の軽量化を図ることができ、もって、荷台を移動させる際の必要なエネルギーを低減でき、しかも、上記(１)〜(８)項のいずれかの発明と同様の効果を奏しうるようにした全自動貸金庫を提供することができる。
【発明の効果】
【００２４】
本発明によると、内函のデータを認識する認識装置を、認識作業を行うときだけ、入出庫装置における荷台に、内函と同様にして載置して使用しうるようにすることにより、通常の内函の入出庫作業においては、入出庫装置の荷台の軽量化を図ることができ、もって、荷台を移動させる際の必要なエネルギーを低減できるようにした自動倉庫を提供することができる。
【図面の簡単な説明】
【００２５】
【図１】本発明の自動倉庫の一実施形態の一部を破断して斜め上方より見た斜視図である。
【図２】同じく、一方の収納棚のみを斜め上方より見た斜視図である。
【図３】同じく、荷台に認識装置を載置した入出庫装置と、一方の収納棚のみを斜め上方より見た斜視図である。
【図４】内函を斜め上方より見た斜視図である。
【図５】認識装置を斜め上方より見た斜視図である。
【図６】蓋を外した認識装置を、反転させて斜め上方より見た斜視図である。
【図７】本発明の自動倉庫の一実施形態における認識装置の第１の変形例を斜め上方より見た斜視図である。
【図８】本発明の自動倉庫の一実施形態における認識装置の第２の変形例を斜め上方より見た斜視図である。
【発明を実施するための形態】
【００２６】
以下、本発明の自動倉庫の一実施形態を、図面を参照して説明する。
図１に示すように、この自動倉庫は、全自動貸金庫として使用した場合のものであって、互いに対向して離間するようにして床面１上に設けた前後方向を向く左右２列の収納棚２Ａ、２Ｂと、各収納棚２Ａ、２Ｂに収納され、かつ貸金庫利用者が出し入れする物品(図示略)を収容する複数の内函３と、収納棚２Ａ、２Ｂのいずれか一方(または両方)に収納され、かつ各内函３のデータを認識する認識装置４(図２参照)と、収納棚２Ａ、２Ｂに収納された複数の内函３を、荷台５に載置して選択的に入出庫しうるとともに、上記荷台５に、認識装置４をも載置可能とした、例えば、収納棚２Ａ、２Ｂ間の床面１上に敷設した、各収納棚２Ａ、２Ｂと平行のレール６ａに沿って走行しうるようにしたスタッカクレーンとした入出庫装置６とを備えている。
入出庫装置６における荷台５は、認識装置４の左右の向きを反転させても載置可能としてある。
【００２７】
各収納棚２Ａ、２Ｂは、複数の縦材７と複数の横材８とを格子状に結合することにより、縦横に並んだ複数の収納空間９を形成したものよりなっている。
【００２８】
図２に示すように、大部分の収納空間９には、内函３がそれぞれ収納されているが、その収納空間９の少なくとも一つには、認識装置４が収納されている。認識装置４は、外形寸法を内函３と同様の寸法に形成してある。なお、図２および図３においては、説明のために、認識装置４は、内部の部材を視認できるように図示してあるが、防塵等のために適宜の部材で覆って形成することもできる。
【００２９】
各内函３は、図４に示すように、上面が開口する直方形のケース１０と、その上面の開口部を開閉する蓋１１とを備えている。
各ケース１０の正面、すなわち取出し側の端面には、識別標識１２が付されている。識別標識１２としては、例えば、貸金庫番号、通し番号、若しくは収納位置番号等の数値、またはバーコード、ＱＲコード(登録商標)等の識別標識１２が用いられる。
【００３０】
認識装置４は、図５および図６に示すように、縦、横および高さを内函３のケース１０と略同一寸法で、上面と両側端とが開口した上向コ字状の直方形のケース１３と、ケース１３の上面の開口部の一部を開閉する蓋１４と、ケース１３内に設けられた認識手段１５と、ケース１３内に設けられ、かつ認識手段１５に電気的に接続された制御ボックス１６と、ケース１３に設けられ、後述する給電装置１７から給電される受電装置１８とを備えている。
【００３１】
認識装置４においては、図２に示す、収納棚２Ａの一収納空間９に収納されている状態から、図３に示す、入出庫装置６が稼働して荷台５上に移載された状態となるまで、認識手段１５の認識方向（すなわちカメラの光軸方向）は、収納棚２Ａ側を向いている。そのため、認識装置４が荷台５上にあるときは、内函３のデータを読み取ることができる。
認識手段１５は、認識装置４が入出庫装置６の荷台５上に載置されたとき、各内函３の正面の少なくとも識別標識１２が付された部分の静止画を、撮影可能なカメラとしている。
この認識手段１５としては、例えばデジタルカメラを用いることができるが、動画を撮影できるビデオカメラを用いるなど、公知の認識手段を用いることが可能である。
【００３２】
制御ボックス１６は、認識手段１５がデジタルカメラのように、画像処理装置を備えている場合は、画像処理されたデータやその他の情報を無線で発信しうるとともに、収納棚２Ａ、２Ｂの近くに設けた作業者用ブース内に配設したホストコンピュータ(図示略)より送信された、制御信号を化体した無線を受信する無線送受信器、すなわちモデムのような機能を有するものであればよい。
また、この制御ボックス１６は、画像処理されたデータやその他の情報を無線で発信する発信機能のみを有し、受信機能のない無線送信機とすることもできる。
受信機能のない無線送信機とした場合は、ホストコンピュータから認識装置４への指令信号や制御信号等は、給電線と並設した信号線と、給電装置１７および受電装置１８とを介して、認識装置４に伝達させるようにするのがよい。
【００３３】
給電装置１７は、図１に示すように、入出庫装置６における荷台５の前後の縁より起立する１対の側板５ａ、５ａの対向する内側面に設けられ、かつ内函３が移載される方向に延びる上下２条の給電板２２、２２を備えている。
【００３４】
受電装置１８は、図６に示すように、認識装置４のケース１３における底板１３ａの前後の縁より起立する両側板１３ｂ、１３ｂの外側面に設けた上下２条の接触子１８ａ、１８ａと、両側板１３ｂ、１３ｂの内側面に設けられ、かつ各接触子１８ａが各側板１３ｂより外側方に突出するように保持する１対の接触子保持部材１８ｂ、１８ｂとを備えている。なお、各接触子１８ａの形状は、平面視で台形または円弧状等、摺動接触性を考慮して適宜の形状を採用することが可能である。
【００３５】
認識装置４が、図２に示すように、収納棚２Ａにおける予め定めた収納空間９に収納されている状態から、入出庫装置６における荷台５に設けた移載装置(図示略)により、荷台５上に引き込まれたとき、受電装置１８の各接触子１８ａが、荷台５の前後の縁より起立する１対の側板５ａ、５ａの対向する内側面に設けられた上下２条の給電板２２にそれぞれ接触することにより、荷台５から認識装置４へ給電されるようになっている。
認識装置４が、その左右の向きを反転して、荷台５上に載置されたときも、両接触子１８ａと両給電板２２との接触関係が逆になるだけで、荷台５から認識装置４へ給電されるようになっている。
【００３６】
このような給電装置１７と受電装置１８とは、どの様な構造のものでもよく、例えば、荷台５の上面、一方の側板５ａの内面のみ、または両側板５ａ、５ａの内面に、１条または互いに平行をなす複数条の給電板２２を設け、それらに対向するように、認識装置４のケース１３における底板１３ａの下面、一方の側板１３ｂの外側面、または両側板１３ｂ、１３ｂの外側面に１または複数の接触子１８ａを設け、認識装置４が荷台５上に引き込まれたとき、それらが互いに接触するようにしてもよい。
あるいは、給電装置１７と受電装置１８との対向面のいずれか一方に複数のピンを突設し、かつ他方の対向面に、受孔を設けて、認識装置４が荷台５上に引き込まれたときには、それらが互いに嵌合して給電がなされるようにしてもよい。
さらに、給電装置１７および受電装置１８としてコネクタ構造を採用し、認識装置４の制御ボックス１６に受電用のコネクタ(図示略)を設け、荷台５に給電用のコネクタ(図示略)を設けて、両者を配線で接続したり、切り離したりするようにしてもよく、あるいは、制御ボックス１６から配線を引き延ばして荷台５の給電用コネクタに接続したり、逆に荷台５から配線を引き延ばして制御ボックス１６の受電用コネクタに接続するなど、適宜の手段を用いることができる。
【００３７】
入出庫装置６は、荷台５をマスト状のガイドフレーム２３に沿って昇降させる昇降装置(図示略)と、荷台５を、ガイドフレーム２３とともに、左右の収納棚２Ａ、２Ｂ間を前後方向に走行させる走行装置(図示略)と、収納棚２Ａ、２Ｂの各収納空間９に収納された内函３を、荷台５上へ、および荷台５上から各収納空間９へ移載させる上記移載装置とを備えているものであれば、どの様な構成のものでもよい。
【００３８】
全自動貸金庫全体の制御は、上記ホストコンピュータと、無線送受信器２１から発信された無線を受信する受信器(図示略)と、上記作業者用ブース内に設けた操作盤(図示略)とによって行われる。
【００３９】
平常時には、貸金庫番号が記憶された貸金庫利用カードを、カードリーダに挿入し、暗証番号を入力して本人確認することで、あるいは、収納棚２Ａ、２Ｂの近くに設けた顧客用ブース内に配設した操作盤に、貸金庫番号を入力すると、ホストコンピュータが、その貸金庫番号に対応する内函３が、収納棚２Ａ、２Ｂのいずれの列の、いずれの連(前後方向の順位)の、いずれの段(上下方向の順位)の収容空間９に収納されているかを割り出し、入出庫装置６における走行装置と昇降装置とがホストコンピュータにより制御されて、荷台５は、その収納空間９に対向する位置まで移動させられ、その後、移載装置が作動させられて、目的の内函３が荷台５上に移載され、次いで、その状態で、荷台５が、顧客用ブース内に設けた出入口(図示略)近くの受渡位置(図示略)まで移動させられ、そこで、荷台５上の内函３が、ベルトまたはローラコンベア等(図示略)に移載され、それによって、内函３は上記出入口まで搬送させられる。
【００４０】
出入口において、顧客が内函３を取り出し、蓋１１を開いて、内函３内の物品を出し入れした後、蓋１１を閉めて、内函３をコンベア上に戻し、操作盤の返却スイッチ(図示略)を押すと、内函３は、ホストコンピュータの制御により、上記と逆の経路を辿って、元の収納空間９に対向する位置まで移動させられ、その後、移載装置が作動させられて、内函３が、荷台５上から元の収納空間９に移載される。
【００４１】
収納棚２Ａ、２Ｂへの内函３の最初の収納後や、修理作業後等において、すべての内函３が間違いなく、予め定めた収納空間９に収納されているか否かを検査するには、ホストコンピュータを操作して、入出庫装置６における荷台５を、認識装置４が収納されている収納空間９に対向する位置まで移動させた後、移載装置を作動させて、認識装置４を荷台５上に移載させる。
【００４２】
このとき、認識装置４側の受電装置１８における各接触子１８ａが、荷台５側の給電装置１７における給電板２２に接触することにより、荷台５側から認識装置４に給電される。
【００４３】
次いで、ホストコンピュータは、予めインプットされたプログラムにより、荷台５を、予め定めた第１順位の収納空間９に対向する位置まで移動し、その位置情報を得た後、認識装置４に作動信号を発信し、認識装置４における認識手段１５により、その第１順位の収納空間９に収納されている内函３の識別標識１２を撮影する。
【００４４】
認識手段１５により撮影された画像データは、制御ボックス１６より無線に化体して送信される。
【００４５】
制御ボックス１６より無線送信されたデータは、ホストコンピュータ側の受信機(図示略)により受信され、ホストコンピュータで、撮影された内函３の識別標識１２から読み取った貸金庫番号のデータと、ホストコンピュータに記憶されている第１順位の収納空間９の位置情報(列−連−段)に関連付けられている貸金庫番号のデータとが一致するか否かが判別される。
なお、営業室等の別室にある管理用の端末や、顧客用ブース内の端末においても、制御ボックス１６より送信された無線を受信する受信機(図示略)を設けることで、無線に化体したデータを取得できるようにしてもよい。
【００４６】
この判別作業は、受信した画像データの中の識別標識１２の画像データを光学等の文字認識装置にかけて、そこに付された貸金庫番号を読み取り、読み取った貸金庫番号と記憶している貸金庫番号とを比較して、その一致や不一致を自動的に判別するようにしてもよいし、受信した画像データから、画像をモニター上に再現させて目視等で貸金庫番号を認識し、それとホストコンピュータに記憶されている貸金庫番号とを比較してその一致や不一致を確認してももよく、またその両方を並行して行うなど、適宜の作業形態を用いるようにしてもよい。
【００４７】
また、認識手段１５が、光学文字認識装置を搭載したものである場合には、文字認識された結果の文字情報を、無線に化体して、制御ボックス１６より無線送信し、ホストコンピュータにおいて、受信した無線に化体した貸金庫番号のデータと、ホストコンピュータに記憶されている貸金庫番号のデータとが一致するか否かが判別される。
【００４８】
認識手段１５により撮影された内函３の貸金庫番号のデータと、ホストコンピュータに記憶されている貸金庫番号のデータとの判別作業により、一致が確認されると、荷台５は、第２順位の収納空間９に対向する位置まで移動され、そこで、上記と同様の作業が行われ、その収納空間９に収納されている内函３が適正なものであるか否かが確認される。
第３順位以後の収納空間９に対しても、順次同様の作業が行われる。
この検査の順位は、例えば、各収納棚２Ａ、２Ｂにおける第１連目およびその後の奇数連目においては上から下(または下から上)へ、第２連目およびその後の偶数連目においては、下から上(または上から下)へ、順次移行するようにしたり、各収納棚２Ａ、２Ｂにおける最上段(または最下段)およびその後の奇数段においては前から後(または後から前)へ、第２段およびその後の偶数段においては、後から前(または前から後)へ、順次移行するようにしたりすることができる。
また、その他の順序で順次移行するようにすることもできる。
【００４９】
ホストコンピュータでは、上記判別作業により、不一致が確認されたときは、撮影された内函３から読み取った貸金庫番号及びその位置情報と、本来の貸金庫番号とが記録される。そして、その記録に基づいて、入出庫装置６等を用いた自動あるいは作業者による手動での、内函３の並べ替え作業をしたり、ホストコンピュータ上の位置データの修正等、適宜の作業が行われる。その並べ替え作業については、前述のように不一致が判別された場合に行ってもよいし、検査作業がすべて終了した後に行ってもよい。特に自動の場合には、随時不一致が確認されたときごとに行うなど、適宜のタイミングで行うことが可能である。また、並べ替え作業をせずに、ホストコンピュータに記憶されている貸金庫番号の順序を変える補正を行うことも可能である。なお、自動で並べ替え作業ができる場合には、予めホストコンピュータに顧客ごとの使用頻度を記録しておいて、適宜の周期で内函３の並び順を、顧客の使用頻度が高いものを優先的に出しやすい位置に並べる等とすることで、内函３を効率よく出し入れすることもでき、顧客満足度の向上が期待される。
【００５０】
収納棚２Ａ内のすべての内函３の検査が終了した後、認識装置４を移動し、認識装置４の向きを反転させることにより、認識手段１５における内函３のデータの認識方向、すなわちカメラの光軸の方向を反転させて、再度荷台５に載置し、その後、収納棚２Ｂ内の内函３の検査を、収納棚２Ａ内の内函３の検査と同様にして行う。
【００５１】
給電装置１７および受電装置１８は、点対称の位置関係で給電板２２と接触子１８ａとを、それぞれ１対設けてあるので、認識装置４を反転させて荷台５に載置したときにも、荷台５から認識装置４へ給電することができる。
【００５２】
この実施形態においては、物品を収容する複数の内函３と、複数の内函３を収納する収納棚２Ａ、２Ｂと、複数の内函３を選択的に入出庫しうる入出庫装置６とを備える自動倉庫において、入出庫装置６における荷台５に、認識装置４を内函３と同様にして載置可能としてあるので、認識装置４を、認識作業を行うときだけ荷台５に、内函３と同様にして載置して使用しうるので、通常の内函３の入出庫作業においては、入出庫装置６の荷台５の軽量化を図ることができ、もって、荷台５を移動させる際の必要なエネルギーを低減することができる。
【００５３】
互いに対向する少なくとも２列の収納棚２Ａ、２Ｂを備え、両収納棚２Ａ、２Ｂ間に入出庫装置６を配設してあるので、１個の入出庫装置６により、複数の収納棚２Ａ、２Ｂにおける内函３を入出庫することができ、効率がよい。
【００５４】
入出庫装置６における荷台５に、内函３のデータの認識方向を一方向とした認識手段１５を有する認識装置４を、認識手段１５の向きを反転させて載置可能としてあるので、１個の認識手段１５を有する１個の認識装置４により、互いに対向する複数の収納棚２Ａ、２Ｂにおける各内函３のデータを認識させることができる。
【００５５】
入出庫装置６における荷台５に、認識装置４に給電しうる給電装置１７を設けてあるので、認識装置４を荷台５に載置したとき、給電装置１７により、認識装置４に給電することができ、その電力によって、認識装置４を作動させることができる。
【００５６】
認識装置４を、認識したデータを無線で送信する送信手段(無線送受信器２１)を備えるものとしてあるので、認識装置４から送信された無線を、作業者用ブース内に配設したホストコンピュータ等において受信して、その無線に化体したデータを読み取り、自動倉庫の管理に役立たせることができる。
また、無線を使用しているので、配線の必要がなく、特に、認識装置４を移動させつつ使用する際には、その便益が大である。
【００５７】
図７は、認識装置の第１の変形例を示す。なお、図６に示す実施形態におけるのと同一または類似の部材には、同一の符号を付して図示するに止め、それらについての詳細な説明は省略する(図８に示す認識装置の第２の変形例においても同じ)。
この認識装置２４は、ケース１３における左右方向のほぼ中央に制御ボックス１６を設け、その左右両側に、内函３のデータの認識方向、すなわちカメラの光軸を互いに左右の外側方を向くようにした２個の認識手段１５、１５を設けたものよりなっている。
【００５８】
この認識装置２４によると、認識装置２４を、収納空間９から入出庫装置６における荷台５に移載したままの状態で、反転させることなく、収納棚２Ａ側の各内函３と、収納棚２Ｂ側の各内函３とを、別々に、または同時に認識させることができる。
【００５９】
また、ケース１３が、その前後の端面を閉塞する前面板１３ｃおよび後面板１３ｄを有し、その前面板１３ｃの前面(および後面板１３ｄの後面にも)に、移載装置と係合して、認識装置２４を引き出すための、例えば平面視コ字形等の係合部材２５を設けている場合には、その前面板１３ｃには、この係合部材２５を避けるようにして、認識手段１５、１５の視野を確保するための覗き孔２６、２６が設けられている。
【００６０】
あるいは、ケース１３の前後に係合部材２５を設けたものにおいても、それぞれ係合部材２５を回避して、認識手段１５、１５の視野を確保することができればよい。
【００６１】
図８は、認識装置の第２の変形例を示す。
この認識装置２７は、ケース１３における左右方向のほぼ中央に回転手段２８を設け、その上に認識手段１５を設けたものである。なお、回転手段２８としては、モータ等の駆動機構によって回転するターンテーブルなど、適宜の手段を用いることができる。
【００６２】
この認識装置２７によると、１個の認識手段１５のみで、認識装置を取り出したりすることなく、複数の収納棚２Ａ、２Ｂにおける各内函３のデータを認識させることができる。
【００６３】
本発明は、上記実施形態のみに限定されるものではなく、特許請求の範囲を逸脱することなく、上記以外の変形した態様での実施が可能である。
例えば、認識装置４を、ケース１３にバッテリ(図示略)を設けた構成としてもよく、その場合には認識手段１５はバッテリ(図示略)により駆動されるものとなる。そして、認識装置４を収納棚２Ａまたは２Ｂの収納場所に収納したとき、収納棚２Ａまたは２Ｂに設けた給電手段(図示略)により、バッテリが充電されるようにしてもよい。
また、認識手段１５は、作業者用ブースまたは顧客用ブース内に設けた内函３用の出入口から取り込んで、コンベアを介して荷台５に載置し、上記と同様の検査手順で、各収納棚２Ａ、２Ｂにおける各内函３の検査作業を行うようにしてもよい。その場合、認識手段１５は、自動倉庫以外の適宜の場所に保管しておくことができる。
この場合、検査作業の終了後は、認識手段１５を、上記と逆の経路を辿って、上記出入口まで戻し、そこから取り出して、自動倉庫外の元の収納場所に戻す。
【産業上の利用可能性】
【００６４】
本発明は、全自動貸金庫だけでなく、その他の用途に用いられる自動倉庫にも適用することができる。
【符号の説明】
【００６５】
１  床面
２Ａ、２Ｂ  収納棚
３  内函
４  認識装置
５  荷台
５ａ側板
６  入出庫装置
６ａレール
７  縦材
８  横材
９  収納空間
１０  ケース
１１  蓋
１２  識別標識
１３  ケース
１３ａ底板
１３ｂ側板
１３ｃ前面板
１３ｄ後面板
１４  蓋
１５  認識手段(カメラ)
１６  制御ボックス
１７  給電装置
１８  受電装置
１８ａ接触子
１８ｂ接触子保持部材
２２  給電板
２３  ガイドフレーム
２４  認識装置
２５  係合部材
２６  覗き孔
２７  認識装置
２８  回転手段
２９  認識装置
３０  バッテリ
３１  接触端子
３２  充電装置
３３  レセプタクル
３３ａ嵌合孔
【図１】
0006603036.tif 000002
【図２】
0006603036.tif 000003
【図３】
0006603036.tif 000004
【図４】
0006603036.tif 000005
【図５】
0006603036.tif 000006
【図６】
0006603036.tif 000007
【図７】
0006603036.tif 000008
【図８】
0006603036.tif 000009